(57)【要約】【課題】  本発明は、簡易な構成で受信効率を格段と向上し得る受信装置及び受信方法を実現するものである。【解決手段】  受信バンドごとに所望の受信チャンネルを選局して当該受信チャンネルに応じたラジオ放送を受信する受信装置及び受信方法において、受信チャンネルの選局時の受信周波数を、ユーザの操作に応じて所定の周波数ステップで順次増加又は減少させながら、受信可能な各受信チャンネルと一致したときに一時停止させる第１のステップと、選局された受信チャンネルに応じた音声信号を所定のパルス変調処理によりパルス信号に変換して、当該パルス信号をディジタル方式の増幅手段に出力する第２のステップと、第１のステップにおける選局の実行時に、増幅手段へのパルス信号の出力を停止するように制御する第３のステップとを設けるようにした。【選択図】        図２
2005064810.tif 000002
【特許請求の範囲】
【請求項１】
受信バンドごとに所望の受信チャンネルを選局して当該受信チャンネルに応じたラジオ放送を受信する受信装置において、
上記受信チャンネルを選局する選局手段と、
上記選局手段により選局された上記受信チャンネルに応じた音声信号を、所定のパルス変調処理によりパルス信号に変換するパルス変調手段と、
上記パルス変調手段から出力される上記パルス信号を増幅するディジタル方式の増幅手段と、
上記パルス変調手段による上記パルス信号の出力を制御する出力制御手段と
を具え、
上記選局手段は、上記選局時の受信周波数を、ユーザの操作に応じて所定の周波数ステップで順次増加又は減少させながら、受信可能な各上記受信チャンネルと一致したときに一時停止させる選局機能を有し、
上記出力制御手段は、上記選局手段が上記選局機能の実行時に、上記増幅手段への上記パルス信号の出力を停止するように上記パルス変調手段を制御する
ことを特徴とする受信装置。
【請求項２】
受信バンドごとに所望の受信チャンネルを選局して当該受信チャンネルに応じたラジオ放送を受信する受信装置において、
上記受信チャンネルを選局する選局手段と、
上記選局手段により選局された上記受信チャンネルに応じた音声信号を、所定のパルス変調処理によりパルス信号に変換するパルス変調手段と、
上記パルス変調手段から出力される上記パルス信号を増幅するディジタル方式の増幅手段と、
上記増幅手段に第１のレベルの電圧を印加する電圧制御手段と
を具え、
上記選局手段は、上記選局時の受信周波数を、ユーザの操作に応じて所定の周波数ステップで順次増加又は減少させながら、受信可能な各上記受信チャンネルと一致したときに一時停止させる選局機能を有し、
上記電圧制御手段は、上記選局手段が上記選局機能の実行時に、上記増幅手段に印加する上記電圧を上記第１のレベルより低い第２のレベルまで低減させる
ことを特徴とする受信装置。
【請求項３】
上記選局手段が上記選局機能の実行時に、上記パルス変調手段から出力される上記パルス信号のパルス幅を、上記電圧制御手段による電圧低下分だけ広げるように制御するパルス制御手段
を具えることを特徴とする請求項２に記載の受信装置。
【請求項４】
受信バンドごとに所望の受信チャンネルを選局して当該受信チャンネルに応じたラジオ放送を受信する受信方法において、
上記受信チャンネルの選局時の受信周波数を、ユーザの操作に応じて所定の周波数ステップで順次増加又は減少させながら、受信可能な各上記受信チャンネルと一致したときに一時停止させる第１のステップと、
上記選局された上記受信チャンネルに応じた音声信号を所定のパルス変調処理によりパルス信号に変換して、当該パルス信号をディジタル方式の増幅手段に出力する第２のステップと、
上記第１のステップにおける選局の実行時に、上記増幅手段への上記パルス信号の出力を停止するように制御する第３のステップと
を具えることを特徴とする受信方法。
【請求項５】
受信バンドごとに所望の受信チャンネルを選局して当該受信チャンネルに応じたラジオ放送を受信する受信方法において、
上記受信チャンネルの選局時の受信周波数を、ユーザの操作に応じて所定の周波数ステップで順次増加又は減少させながら、受信可能な各上記受信チャンネルと一致したときに一時停止させる第１のステップと、
上記選局された上記受信チャンネルに応じた音声信号を所定のパルス変調処理によりパルス信号に変換して、当該パルス信号をディジタル方式の増幅手段に出力すると共に、当該増幅手段に第１のレベルの電圧を印加する第２のステップと、
上記第１のステップにおける選局の実行時に、上記増幅手段に印加する上記電圧を上記第１のレベルより低い第２のレベルまで低減させる第３のステップと
を具えることを特徴とする受信方法。
【請求項６】
上記第３のステップでは、
上記第２のステップにおける上記増幅手段へ出力される上記パルス信号のパルス幅を、上記電圧低下分だけ広げるように制御する
ことを特徴とする請求項５に記載の受信方法。
【発明の詳細な説明】
【技術分野】
【０００１】
本発明は受信装置及び受信方法に関し、例えばチューナ内蔵型アンプに適用して好適なものである。
【背景技術】
【０００２】
従来、この種のチューナ内蔵型アンプには、例えばＦＭ（Frequency Modulation）やＡＭ（Amplitude Modulation）等の受信バンドごとに受信可能なラジオ局に対応する受信チャンネルを自動的に検出する機能（以下、これをオートチューニング機能と呼ぶ）が搭載されている。
【０００３】
かかるオートチューニング機能は、ユーザが所望する受信バンドについて、ユーザの操作に応じて、受信周波数を所定ステップ単位で順次インクリメント又はデクリメントさせるようにしてスキャンニングしながら、現在の地域で受信可能な各受信チャンネルと一致するごとに一時的に停止させる機能である。
（例えば、特許文献１参照）。
【０００４】
【特許文献１】特開平２００１−２３７６５９号公報（第５頁〜第６頁、図１）
【発明の開示】
【発明が解決しようとする課題】
【０００５】
ところで、かかるチューナ内蔵型アンプにおいては、スピーカの前段に設けられた音声増幅用のアンプ部がディジタル方式の場合、通信方式として一般的にパルス幅変調（ＰＷＭ：Pulse Width Modulation）方式が採用される。このパルス幅変調方式は、入力信号の振幅に応じてパルス幅が変化するパルス列を作る変調方式である。
【０００６】
実際にディジタル方式のアンプ部は、動作電圧が50〜60〔Ｖ〕でかつ動作周波数が約768〔kHz〕のパルス信号をスピーカに出力することから、チューナ内蔵型アンプに内蔵されているチューナ部が、当該パルス信号の高調波を受信可能な受信チャンネルの周波数であると誤って検出するおそれがある。
【０００７】
この結果オートチューニング機能が働くと、受信チャンネルでもない周波数のところでスキャンニングが一時停止するため、ユーザにとって選局の際に紛らわしくさせて時間を無駄にするという問題があった。
【０００８】
この問題を解決する方法として、チューナ内蔵型アンプにおいて、チューナ部をなるべくアンプ部から遠く離れた位置に配設するか、又はアンプ部自体をシールドして電気的に絶縁させるようにする方法が提案されているが、このような方法では、オートチューニングの誤検出を防止するには実用上未だ不十分な問題があり、チューナ部そのものの搭載を諦める事態も想定される。
【０００９】
本発明は以上の点を考慮してなされたもので、簡易な構成で受信効率を格段と向上し得る受信装置及び受信方法を提案しようとするものである。
【課題を解決するための手段】
【００１０】
かかる課題を解決するため本発明においては、受信バンドごとに所望の受信チャンネルを選局して当該受信チャンネルに応じたラジオ放送を受信する受信装置において、受信チャンネルを選局する選局手段と、選局手段により選局された受信チャンネルに応じた音声信号を、所定のパルス変調処理によりパルス信号に変換するパルス変調手段と、パルス変調手段から出力されるパルス信号を増幅するディジタル方式の増幅手段と、パルス変調手段によるパルス信号の出力を制御する出力制御手段とを設け、選局手段は、選局時の受信周波数を、ユーザの操作に応じて所定の周波数ステップで順次増加又は減少させながら、受信可能な各受信チャンネルと一致したときに一時停止させる選局機能を有し、出力制御手段は、選局手段が選局機能の実行時に、増幅手段へのパルス信号の出力を停止するようにパルス変調手段を制御するようにした。
【００１１】
この結果この受信装置では、選局機能の実行時に、ディジタル方式の増幅手段の出力である高調波を、選局手段が受信可能な受信チャンネルの周波数として誤検出するのを未然に防止することができる。
【００１２】
また本発明においては、受信バンドごとに所望の受信チャンネルを選局して当該受信チャンネルに応じたラジオ放送を受信する受信装置において、受信チャンネルを選局する選局手段と、選局手段により選局された受信チャンネルに応じた音声信号を、所定のパルス変調処理によりパルス信号に変換するパルス変調手段と、パルス変調手段から出力されるパルス信号を増幅するディジタル方式の増幅手段と、増幅手段に第１のレベルの電圧を印加する電圧制御手段とを設け、選局手段は、選局時の受信周波数を、ユーザの操作に応じて所定の周波数ステップで順次増加又は減少させながら、受信可能な各受信チャンネルと一致したときに一時停止させる選局機能を有し、電圧制御手段は、選局手段が選局機能の実行時に、増幅手段に印加する電圧を第１のレベルより低い第２のレベルまで低減させるようにした。
【００１３】
この結果この受信装置では、選局機能の実行時に、ディジタル方式の増幅手段の出力である高調波を、選局手段が受信可能な受信チャンネルの周波数として誤検出するのを未然に防止することができる。
【００１４】
さらに本発明においては、受信バンドごとに所望の受信チャンネルを選局して当該受信チャンネルに応じたラジオ放送を受信する受信方法において、受信チャンネルの選局時の受信周波数を、ユーザの操作に応じて所定の周波数ステップで順次増加又は減少させながら、受信可能な各受信チャンネルと一致したときに一時停止させる第１のステップと、選局された受信チャンネルに応じた音声信号を所定のパルス変調処理によりパルス信号に変換して、当該パルス信号をディジタル方式の増幅手段に出力する第２のステップと、第１のステップにおける選局の実行時に、増幅手段へのパルス信号の出力を停止するように制御する第３のステップとを設けるようにした。
【００１５】
この結果この受信方法では、選局の実行時に、ディジタル方式の増幅手段の出力である高調波を、受信可能な受信チャンネルの周波数として誤って選局するのを未然に防止することができる。
【００１６】
さらに本発明においては、受信バンドごとに所望の受信チャンネルを選局して当該受信チャンネルに応じたラジオ放送を受信する受信方法において、受信チャンネルの選局時の受信周波数を、ユーザの操作に応じて所定の周波数ステップで順次増加又は減少させながら、受信可能な各受信チャンネルと一致したときに一時停止させる第１のステップと、選局された受信チャンネルに応じた音声信号を所定のパルス変調処理によりパルス信号に変換して、当該パルス信号をディジタル方式の増幅手段に出力すると共に、当該増幅手段に第１のレベルの電圧を印加する第２のステップと、第１のステップにおける選局の実行時に、増幅手段に印加する電圧を第１のレベルより低い第２のレベルまで低減させる第３のステップとを設けるようにした。
【００１７】
この結果この受信方法では、選局の実行時に、ディジタル方式の増幅手段の出力である高調波を、受信可能な受信チャンネルの周波数として誤って選局するのを未然に防止することができる。
【発明の効果】
【００１８】
上述のように本発明によれば、受信バンドごとに所望の受信チャンネルを選局して当該受信チャンネルに応じたラジオ放送を受信する受信装置において、受信チャンネルを選局する選局手段と、選局手段により選局された受信チャンネルに応じた音声信号を、所定のパルス変調処理によりパルス信号に変換するパルス変調手段と、パルス変調手段から出力されるパルス信号を増幅するディジタル方式の増幅手段と、パルス変調手段によるパルス信号の出力を制御する出力制御手段とを設け、選局手段は、選局時の受信周波数を、ユーザの操作に応じて所定の周波数ステップで順次増加又は減少させながら、受信可能な各受信チャンネルと一致したときに一時停止させる選局機能を有し、出力制御手段は、選局手段が選局機能の実行時に、増幅手段へのパルス信号の出力を停止するようにパルス変調手段を制御するようにしたことにより、選局機能の実行時にディジタル方式の増幅手段の出力である高調波を選局手段が受信可能な受信チャンネルの周波数として誤検出するのを未然に防止することができ、かくして簡易な構成で受信効率を格段と向上し得る受信装置を実現できる。
【００１９】
また本発明によれば、受信バンドごとに所望の受信チャンネルを選局して当該受信チャンネルに応じたラジオ放送を受信する受信装置において、受信チャンネルを選局する選局手段と、選局手段により選局された受信チャンネルに応じた音声信号を、所定のパルス変調処理によりパルス信号に変換するパルス変調手段と、パルス変調手段から出力されるパルス信号を増幅するディジタル方式の増幅手段と、増幅手段に第１のレベルの電圧を印加する電圧制御手段とを設け、選局手段は、選局時の受信周波数を、ユーザの操作に応じて所定の周波数ステップで順次増加又は減少させながら、受信可能な各受信チャンネルと一致したときに一時停止させる選局機能を有し、電圧制御手段は、選局手段が選局機能の実行時に、増幅手段に印加する電圧を第１のレベルより低い第２のレベルまで低減させるようにしたことにより、選局機能の実行時にディジタル方式の増幅手段の出力である高調波を選局手段が受信可能な受信チャンネルの周波数として誤検出するのを未然に防止することができ、かくして簡易な構成で受信効率を格段と向上し得る受信装置を実現できる。
【００２０】
さらに本発明によれば、受信バンドごとに所望の受信チャンネルを選局して当該受信チャンネルに応じたラジオ放送を受信する受信方法において、受信チャンネルの選局時の受信周波数を、ユーザの操作に応じて所定の周波数ステップで順次増加又は減少させながら、受信可能な各受信チャンネルと一致したときに一時停止させる第１のステップと、選局された受信チャンネルに応じた音声信号を所定のパルス変調処理によりパルス信号に変換して、当該パルス信号をディジタル方式の増幅手段に出力する第２のステップと、第１のステップにおける選局の実行時に、増幅手段へのパルス信号の出力を停止するように制御する第３のステップとを設けるようにしたことにより、選局の実行時にディジタル方式の増幅手段の出力である高調波を受信可能な受信チャンネルの周波数として誤って選局するのを未然に防止することができ、かくして簡易な構成で受信効率を格段と向上し得る受信方法を実現できる。
【００２１】
さらに本発明によれば、受信バンドごとに所望の受信チャンネルを選局して当該受信チャンネルに応じたラジオ放送を受信する受信方法において、受信チャンネルの選局時の受信周波数を、ユーザの操作に応じて所定の周波数ステップで順次増加又は減少させながら、受信可能な各受信チャンネルと一致したときに一時停止させる第１のステップと、選局された受信チャンネルに応じた音声信号を所定のパルス変調処理によりパルス信号に変換して、当該パルス信号をディジタル方式の増幅手段に出力すると共に、当該増幅手段に第１のレベルの電圧を印加する第２のステップと、第１のステップにおける選局の実行時に、増幅手段に印加する電圧を第１のレベルより低い第２のレベルまで低減させる第３のステップとを設けるようにしたことにより、選局の実行時にディジタル方式の増幅手段の出力である高調波を受信可能な受信チャンネルの周波数として誤って選局するのを未然に防止することができ、かくして簡易な構成で受信効率を格段と向上し得る受信方法を実現できる。
【発明を実施するための最良の形態】
【００２２】
以下図面について、本願発明の一実施の形態について説明する。
【００２３】
（１）本実施の形態による受信装置の構成
図１（Ａ）において、１は全体として本実施の形態による受信装置を示し、略直方体の金属材等からなる筐体２を有し、当該筐体２の手前のフロント部２Ａには操作パネル３が配設されている。
【００２４】
この操作パネル３には、中央上段に各種文字等を表示するための表示部３Ａが設けられ、その下段及び左右側に各種の機能が割り当てられたボタン群又はつまみ群でなる操作部３Ｂが設けられている。この操作部３Ｂは、表示部３Ａの上段側に露出して設けられた第１の操作部３ＢＡと、当該表示部３Ａの下段側に筐体２の一部が開閉自在な蓋２ＡＸとなって露出又は収納するように設けられた第２の操作部３ＢＢと、当該表示部３Ａの左上側に設けられた押圧式の電源ボタンＫ１と、当該表示部３Ａの右側に設けられた回転式の音量つまみＫ２及びファンクション（FUNCTION）つまみＫ３とからなる。
【００２５】
このうち第１の操作部３ＢＡでは、押圧式のボタン群Ｋ４〜Ｋ７が所定の配置状態で一列に配置されており、当該ボタン群にはＦＭ／ＡＭボタンＫ４、シフト（SHIFT）ボタンＫ５及びプリセットチューニング（PRESET TUNING）＋／−ボタンＫ６、Ｋ７がある。また第２の操作部３ＢＢでは、図１（Ｂ）に示すように、押圧式又は回転式のボタン群Ｋ８〜Ｋ１１が所定の配置状態で配置されており、当該ボタン群にはメモリ（MEMORY）ボタンＫ８、ＦＭモード（MODE）ボタンＫ９及びチューニング（TUNING）＋／−ボタンＫ１０、Ｋ１１がある。
【００２６】
まず電源ボタンＫ１には、受信装置１の電源をオン又はオフ状態にするための機能が割り当てられている。音量つまみＫ２には、右回り又は左回りの回転に応じてスピーカの出力音量を上げる又は下げるための機能が割り当てられている。さらにファンクションつまみＫ３には、チューナ部や各種の入力端子のうち所望の信号入力端を選択するための機能が割り当てられており、ユーザが所望方向に回転させながら所望の入力端に位置合わせすることにより設定される。
【００２７】
また第１の操作部３ＢＡにおいて、ＦＭ／ＡＭボタンＫ４には、受信バンドをＦＭバンド又はＡＭバンドに切り換えを行うための機能が割り当てられている。シフトボタンＫ５には、各放送局に対応する受信チャンネルが登録された又は登録可能な複数種類のメモリページのうち所望のメモリページを選択するための機能が割り当てられている。またプリセットチューニング＋／−ボタンＫ６、Ｋ７には、登録した受信チャンネルを探すべく、当該各受信チャンネルに対応して設定されたプリセット番号の数値をインクリメント又はデクリメントさせるための機能が割り当てられている。
【００２８】
さらに第２の操作部３ＢＢにおいて、メモリボタンＫ８には、上述のメモリページに所望の受信チャンネルを登録するための機能が割り当てられている。またＦＭモードボタンＫ９には、再生形態をステレオ再生又はモノラル再生に切り換えを行うための機能が割り当てられており、主に表示部３Ａに「ＳＴＥＲＥＯ」の文字が点滅表示されているときや、ＦＭステレオ放送の受信状態が良くないときに、モノラル再生に変換し得る一方、表示部３Ａに「ＭＯＮＯ」の文字が点滅表示されているときにステレオ再生に変換し得る。チューニング＋／−ボタンＫ１０、Ｋ１１には、受信可能な受信チャンネルを検索すべく、その押圧時間及び押圧回数に応じて所定ステップずつ周波数を増減させることにより所望の周波数を設定し得るようになされている。
【００２９】
図２に受信装置１の内部構成を示す。この受信装置１は、各種の制御を司るＣＰＵ（Central Processing Unit）１０と、アンテナ（図示せず）を介してラジオ放送を受信可能なチューナ部１１と、当該チューナ部１１及び入力端子ＩＮから得られた音声信号Ｓ１をＣＰＵ１０の制御に応じて選択するセレクタ１２と、当該セレクタ１２において選択された音声信号Ｓ１をパルス幅変調（ＰＷＭ）処理を施してパルス信号Ｓ２に変換するＰＷＭ発生部１３と、当該ＰＷＭ発生部１３から得られたパルス信号Ｓ２を増幅するディジタルアンプ部１４と、当該ディジタルアンプ部１４で増幅された増幅パルス信号Ｓ３に基づく音声を出力するスピーカ１５と、上述の操作パネル３（表示部３Ａ、操作部３Ｂ）と、駆動源としての電源部１６とから構成されている。
【００３０】
ＣＰＵ１０は、図示しないフラッシュメモリ及びプログラム用ＲＯＭ（Read Only Memory）を有し、操作部１１の入力操作に応じて、フラッシュメモリ内に格納されている各種プログラムの中から対応するプログラムを読み出してこれをプログラム用ＲＯＭに展開し、このプログラムに従って各種制御処理を実行する。
【００３１】
本実施の形態においては、初期設定時又は受信時、ＣＰＵ１０は、ユーザによる操作部３Ｂの操作に応じて、ＰＷＭ発生部１３及び電源部１６の双方又は一方に所定の制御信号Ｓ５、Ｓ６を送出することにより、当該ＰＷＭ発生部１３からディジタルアンプ部１４へのパルス信号Ｓ２の出力を停止させたり、電源部１６からディジタルアンプ部１４に印加する電圧を所望レベルまで下げたりし得るようになされている。
【００３２】
（２）受信装置における受信機能
本実施の形態における受信装置１では、ユーザによる操作部３Ｂの操作に応じて、受信バンドごとに受信周波数を順次増減させながら所望の受信チャンネルに調整する手動受信機能（以下、これをダイレクトチューニング機能と呼ぶ）と、受信バンドごとに受信可能なラジオ局に対応する受信チャンネルを自動受信するオートチューニング機能と、これらの手動受信や自動受信した後に各受信チャンネルを登録するための機能（以下、これをプリセットチューニング機能と呼ぶ）とがある。
【００３３】
（２−１）ダイレクトチューニング機能
この受信装置１では、まずユーザが操作部３ＢのうちファンクションボタンＫ３を操作して「ＴＵＮＥＲ」を選択した後、ＦＭ／ＡＭボタンＫ４を操作して所望の受信バンドを選択する。続いてユーザは、図示しないリモートコマンダを用いてチューニングモードに設定した後に、所望の受信チャンネルに応じた周波数を表す数字を順次入力することにより、当該受信チャンネルの放送内容を受信することができる。
【００３４】
（２−２）オートチューニング機能
上述のダイレクトチューニング機能による手動受信の際に、ユーザが所望の受信チャンネルの周波数を覚えていない場合や、リモートコマンダを使用しない場合等には、受信装置１における操作部３Ｂのうちチューニング＋／−ボタンＫ１０、Ｋ１１を操作して、所定ステップずつ周波数を増減させる。
【００３５】
このチューニング＋／−ボタンＫ１０、Ｋ１１には、周波数ステップがその周波数幅が受信バンド（例えばＦＭの場合0.1〔MHz〕、ＡＭの場合９〔kHz〕）ごとにデフォルト値として予め設定されている。そしてこのチューニング＋／−ボタンＫ１０、Ｋ１１が１回押圧されるごとに１ステップずつ増減されると共に、当該ボタンが所定時間以上押圧され続けると、所定時間単位で１ステップずつ連続して増減されるように設定されている。
【００３６】
その際、ユーザはチューニング＋／−ボタンＫ１０、Ｋ１１を所定時間以上押圧し続けると、受信バンドに応じた周波数ステップずつ周波数を増減させるようにしてスキャンニングしながら、現在の地域で受信可能な各受信チャンネルと一致するごとに一時的に停止させる。
【００３７】
このときの受信周波数の数値が表示部にリアルタイムで表示されることから、ユーザは一時的に停止される受信チャンネルに応じた周波数の値を見ながら、所望の受信チャンネルに到達するまで、チューニング＋／−ボタンを操作し続ける。
【００３８】
（２−３）プリセットチューニング機能
上述したダイレクトチューニング機能又はオートチューニング機能を用いて受信した受信チャンネルをメモリページに登録する。まずユーザは操作部３ＢのうちメモリボタンＫ８を操作して、表示部３Ａに「ＭＥＭＯＲＹ」を表示させる。この「ＭＥＭＯＲＹ」の表示時間は例えば数秒のように予め設定されているため、ユーザは当該表示時間内に以下に示す操作手順を行う必要がある。
【００３９】
まずユーザによりシフトボタンＫ５が操作されると、複数種類のメモリページが表示部３Ａに順番に表示され、このうち所望のメモリページが選択される。続いてユーザによってプリセットチューニング＋／−ボタンＫ６、Ｋ７が操作されると、プリセット番号の数値が順次インクリメント又はデクリメントされ、所望のプリセット番号が指定される。
【００４０】
そしてユーザによりメモリボタンＫ８が再度操作されると、現在選択されているメモリページに受信チャンネルが指定されたプリセット番号に割り当てられて登録される。
【００４１】
この後ユーザが登録した受信チャンネルに応じた放送局からの放送内容を受信するには、ユーザが操作部３ＢのうちファンクションボタンＫ３を操作して「ＴＵＮＥＲ」を選択した後、プリセットチューニング＋／−ボタンＫ６、Ｋ７を操作して、各メモリページごとにプリセット番号順に１つずつ登録された受信チャンネルがインクリメント又はデクリメントされ、所望のプリセット番号が指定されると、当該プリセット番号に対応する受信チャンネルにチューニングされる。
【００４２】
なおプリセットチューニング＋／−ボタンＫ６、Ｋ７を操作することなく、シフトボタンＫ５を操作して所望のメモリページを選択した後に、リモートコマンダ（図示せず）を用いて所望のプリセット番号を数字入力により指定するようにしても、当該プリセット番号に対応する受信チャンネルにチューニングすることができる。
【００４３】
（３）オートチューニング機能時における誤検出防止処理
本実施の形態の場合、オートチューニング機能時においては、受信装置１（図２）におけるチューナ部１１がディジタルアンプ部１４が発生する増幅パルス信号Ｓ３の高調波を検出するのを未然に防止するように、ＣＰＵ１０がＰＷＭ発生部１３及び電源部１６の双方又は一方を制御するように制御信号Ｓ５、Ｓ６を送出するようになされている。
【００４４】
すなわちディジタルアンプ部１４は、パルス幅変調された増幅パルス信号Ｓ３を、動作電圧が50〜60〔Ｖ〕でかつ動作周波数が約768〔kHz〕でスピーカ１５に出力することから、チューナ部１１が、オートチューニング機能時に当該増幅パルス信号Ｓ３の高調波を受信可能な受信チャンネルの周波数であると誤って検出するおそれがある。
【００４５】
ここでこの種の受信装置１では、オートチューニング機能時には受信可能な受信チャンネルを検索している途中であって出力音声が未確定であるため、スピーカ１５から音声を出力しないのが一般的である。従って、ディジタルアンプ部１４から出力される増幅パルス信号Ｓ３が、音声信号Ｓ１の振幅に応じてパルス幅が変化するパルス列からなることから、当該増幅パルス信号Ｓ３の発生を一時的に停止させるか、又は当該増幅パルス信号Ｓ３の動作電圧を所定レベルまで低減させるか、あるいはこれらを両方行うかによって、当該増幅パルス信号Ｓ３の高調波を停止又は低減することができる。
【００４６】
（４）本実施の形態による動作及び効果
以上の構成において、この受信装置１では、オートチューニング機能時に、ＣＰＵ１０の制御に応じて、ＰＷＭ発生部１３からのパルス信号の出力を停止させるか、又は電源部１６からディジタルアンプ部１４に印加する電圧を所定レベルまで下げるか、或るいはこれらの両方を実行する。
【００４７】
従ってディジタルチューナ部１４から発生する増幅パルス信号Ｓ３の高調波を、チューナ部１１が受信可能な受信チャンネルの周波数として誤検出するのを未然に防止することができる。
【００４８】
この結果、オートチューニング機能時に、チューナ部１１が受信チャンネルでもない周波数のところでスキャンニングを一時停止させることなく、ユーザにとって選局の際に紛らわしくさせて時間を無駄にするのを未然に防止することができる。
【００４９】
以上の構成によれば、この受信装置１において、オートチューニング機能時に、ディジタルアンプ部１４へのパルス信号Ｓ２の供給を停止させ、又は当該ディジタルアンプ部１４に印加する電圧を低減させるようにしたことにより、当該ディジタルチューナ部１４から発生する増幅パルス信号Ｓ３の高調波をチューナ部１１が受信可能な受信チャンネルの周波数として誤検出するのを未然に防止することができ、かくして簡易な構成で受信効率を格段と向上し得る受信装置１を実現できる。
【００５０】
（５）他の実施の形態
なお上述のように本実施の形態においては、本発明を図１（Ａ）及び図２に示すような、受信バンドごとに所望の受信チャンネルを選局して当該受信チャンネルに応じたラジオ放送を受信する受信装置１に適用するようにした場合について述べたが、本発明はこれに限らず、この他種々の形態のディジタル方式の増幅手段を含む受信装置に広く適用することができる。
【００５１】
また上述のように本実施の形態においては、受信チャンネルを選局する選局手段として、図２に示すチューナ部１１を適用し、当該チューナ部（選局手段）１１は、選局時の受信周波数を、ユーザの操作に応じて所定の周波数ステップで順次増加又は減少させながら、受信可能な各受信チャンネルと一致したときに一時停止させるオートチューニング機能（選局機能）を実行するようにした場合について述べたが、本発明はこれに限らず、この他種々の構成からなる選局手段に広く適用するようにしても良い。
【００５２】
さらに上述のように本実施の形態においては、チューナ部（選局手段）１１により選局された受信チャンネルに応じた音声信号Ｓ１を、所定のパルス変調処理によりパルス信号Ｓ２に変換するパルス変調手段として、パルス幅変調処理を行うＰＷＭ発生部１３を適用するようにした場合について述べたが、本発明はこれに限らず、例えばパルス位相変調（ＰＰＭ：Pulse Phase Modulation）処理等を行うこの他種々の構成からなるパルス変調手段に広く適用するようにしても良い。
【００５３】
さらに上述のように本実施の形態においては、ＰＷＭ発生部（パルス変調手段）１３から出力されるパルス信号Ｓ２を増幅するディジタル方式の増幅手段として、ディジタルアンプ部１４を適用するようにした場合について述べたが、本発明はこれに限らず、ディジタル方式の種々のアンプに広く適用するようにしても良い。
【００５４】
さらに上述のように本実施の形態においては、ＰＷＭ発生部（パルス変調手段）１３によるパルス信号Ｓ２の出力を制御する出力制御手段として、図２に示すＣＰＵ１０を適用すし、チューナ部（選局手段）１１によるオートチューニング機能（選局機能）の実行時に、ディジタルアンプ部（増幅手段）１４へのパルス信号Ｓ２の出力を停止するようにＰＷＭ発生部（パルス変調手段）１２を制御するようにした場合について述べたが、本発明はこれに限らず、要は、ディジタルアンプ部（増幅手段）１４へのパルス信号Ｓ２の出力を停止することができれば、出力制御手段としてはこの他種々の構成のものに広く適用するようにしても良い。
【００５５】
さらに上述のように本実施の形態においては、ディジタルアンプ部（増幅手段）１４に第１のレベルの電圧を印加する電圧制御手段を、ＣＰＵ１０及び電源部１６から構成し、チューナ部（選局手段）１１によるオートチューニング機能（選局機能）の実行時に、ディジタルアンプ部（増幅手段）１４に印加する電圧を第１のレベルより低い第２のレベルまで低減させるようにした場合について述べたが、本発明はこれに限らず、要は、当該オートチューニング機能（選局機能）の実行時に、ディジタルアンプ部（増幅手段）１４の出力である高調波を、チューナ部（選局手段）１１が受信可能な受信チャンネルの周波数として誤検出するのを未然に防止することができれば、印加電圧として設定する第１及び第２のレベルの程度は自由に設定するようにしても良い。
【００５６】
これに加えて、オートチューニング機能（選局機能）の実行時に、ＰＷＭ発生部（パルス変調手段）１２から出力されるパルス信号Ｓ２のパルス幅を、ＣＰＵ１０及び電源部１６（電圧制御手段）による電圧低下分（第１及び第２のレベルの差分）だけ広げるように制御するにしても良い。この結果、オートチューニング機能（選局機能）時にユーザがスピーカ１５（図２）から出力音声を聞くことを望む場合であっても、音声出力レベルを実用上十分に保ちながら、上述と同様にディジタルアンプ部（増幅手段）１４の出力である高調波を、チューナ部（選局手段）１１が受信可能な受信チャンネルの周波数として誤検出するのを未然に防止することができる。本実施の形態では、このような制御を行うパルス制御手段として、図２に示すＣＰＵ１０を適用するようにしたが、これ以外にも種々の構成のものを広く適用するようにしても良い。
【産業上の利用可能性】
【００５７】
受信装置及び受信方法において、カーステレオやチューナ付通信端末等に適用することができる。
【図面の簡単な説明】
【００５８】
【図１】本実施の形態による受信装置の構成を示す略線的な外観図である。
【図２】図１の受信装置の内部構成を示すブロック図である。
【符号の説明】
【００５９】
１……受信装置、２……筐体、３……操作パネル、３Ａ……表示部、３Ｂ……操作部、３ＢＡ（Ｋ４〜Ｋ７）……第１の操作部、３ＢＢ（Ｋ８〜Ｋ１１）……第２の操作部、１０……ＣＰＵ、１１……チューナ部、１２……セレクタ、１３……ＰＷＭ発生部、１４……ディジタルアンプ部、１５……スピーカ、１６……電源部、ＩＮ……入力端子、Ｓ１……音声信号、Ｓ２……パルス信号、Ｓ３……増幅パルス信号。
【図１】
2005064810.tif 000003
【図２】
2005064810.tif 000004